(57)【要約】【課題】  防災用の照明装置を管理する機器点検装置と、それら機器点検装置の上位の監視装置の両方からの照明装置に対する操作を可能としつつ、機器点検装置に対して照明装置が点検を行わせるスケジュール点検を確実に行わせる。【解決手段】  機器点検装置は照明装置に対して記憶しているスケジュールに従って点検を行わせている。機器点検装置が操作盤で操作を受けた場合などには機器点検装置は照明装置のスケジュール点検を中止する。一方、監視装置は、各機器点検装置からその状態情報を逐次取得しており、機器点検装置がスケジュール動作を実行していないという情報を受けてから所定時間経過したことと、その他の機器点検装置がスケジュール点検を実行していることを受けて、スケジュール点検を実行していない機器点検装置に対してスケジュール点検の実行指示を出す。【選択図】図１
2007316908.tif 000002
【特許請求の範囲】
【請求項１】
監視装置と、当該監視装置に接続されている複数の機器点検装置と、各機器点検装置に接続されている１以上の被点検装置を有してなる点検システムであって、
前記監視装置は、
自装置に接続されている複数の機器点検装置がスケジュールに基づく所定点検処理を実行しているか否かを検出する検出手段と、
前記検出手段により、前記複数の機器点検装置のうち一の機器点検装置が前記所定点検処理を所定期間以上実行しておらず、当該所定期間において、前記一の機器点検装置を除くその他の機器点検装置のうち、所定数の機器点検装置が前記所定点検処理を実行している場合に、前記一の機器点検装置に対して、前記所定点検処理の実行を開始する実行開始命令を送信する送信手段とを備え、
前記機器点検装置は、
自装置に接続されている被点検装置それぞれに点検を行わせる日時を示したスケジュールを記憶する記憶手段と、
前記記憶手段に記憶されている前記スケジュールに従って、各被点検装置に点検を実行させる実行手段と、
前記実行手段が前記スケジュールに従った所定点検処理を実行している場合に、前記所定点検処理を停止する停止手段とを備え、
前記実行手段は、前記所定点検処理を実行していないときに、前記監視装置からの前記実行開始命令を受信すると、前記所定点検処理の実行を開始する
ことを特徴とする点検システム。
【請求項２】
前記所定数は、前記監視装置に接続されている機器点検装置の総台数の所定割合に相当する台数によって定まる
ことを特徴とする請求項１記載の点検システム。
【請求項３】
前記監視装置は、更に、
前記所定数の機器点検装置が自装置に接続されている被点検装置のスケジュール点検の終了期限を示す終了指定日を取得する取得手段を備え、
前記送信手段は、前記実行開始命令と共に、前記取得手段で取得した前記終了指定日をも送信し、
前記機器点検装置は、更に、
受信した前記終了指定日までに自装置に接続されている全ての被点検装置の点検が終了するようにスケジュールを作成するスケジュール作成手段を備え、
前記実行手段は、前記スケジュール作成手段によって作成されたスケジュールに基づく前記所定点検処理を実行する
ことを特徴とする請求項１記載の点検システム。
【請求項４】
複数の機器点検装置が接続されている監視装置であって、
自装置に接続されている複数の機器点検装置がスケジュールに基づく所定点検処理を実行しているか否かを検出する検出手段と、
前記検出手段により、前記複数の機器点検装置のうち一の機器点検装置が前記所定点検処理を所定期間以上実行しておらず、前記所定時間が経過した場合において、前記一の機器点検装置を除くその他の機器点検装置のうち、所定数の機器点検装置が前記所定点検処理を実行しているときには、前記一の機器点検装置に対して、前記所定点検処理の実行を開始する実行開始命令を送信する送信手段とを備える
ことを特徴とする監視装置。
【請求項５】
前記機器点検装置は、自装置に対して自装置に接続されている全ての被点検装置が終了指定日までに点検が終了するように設定されているスケジュールに従って、自装置に接続されている被点検装置に自己の点検を実行させており、
前記送信手段は、前記一の機器点検装置に対して、前記実行開始命令と共に、前記一の機器点検装置が前記終了指定日までに被点検装置の点検が終了するスケジュールを作成するために、自装置に接続されている他の機器点検装置の終了指定日の情報をも送信する
ことを特徴とする請求項４記載の監視装置。
【請求項６】
監視装置と、１以上の被点検装置とが接続されている機器点検装置であって、
前記１以上の被点検装置に自装置に設定されているスケジュールに従って順次点検を行わせる所定点検処理を実行する実行手段と、
前記実行手段において、前記所定点検処理を実行している場合に、前記所定点検処理を停止する停止手段と、
前記監視装置から、スケジュールに従って前記所定点検処理の実行開始支持と、自装置に接続されている全ての被点検装置の点検処理の終了期限を示す終了指定日を受信する受信手段と、
受信した前記終了指定日までに自装置に接続されている全ての被点検装置の点検が終了するようにスケジュールを作成するスケジュール作成手段とを備え、
前記実行手段は、前記スケジュール作成手段によって作成されたスケジュールに従って前記所定点検処理を実行する
ことを特徴とする機器点検装置。
【請求項７】
監視装置と、当該監視装置に接続されている複数の機器点検装置と、機器点検装置に接続されている１以上の被点検装置とからなる点検システムにおけるスケジュール点検開始方法であって、
前記監視装置が、自装置に接続されている複数の機器点検装置がスケジュールに基づく所定点検処理を実行しているか否かを検出する検出ステップと、
前記検出手段により、前記複数の機器点検装置のうち一の機器点検装置が前記所定点検処理を所定期間以上実行しておらず、前記所定時間が経過したとき、前記一の機器点検装置を除くその他の機器点検装置のうち、所定数の機器点検装置が前記所定点検処理を実行している場合に、前記一の機器点検装置に対して、前記所定点検処理の実行を開始する実行開始命令を送信する送信ステップと、
前記機器点検装置が、前記実行開始命令を受けると、スケジュールに従って自装置に接続されている被点検装置それぞれに点検を実行させる実行ステップとを含む
ことを特徴とするスケジュール点検開始方法。
【発明の詳細な説明】
【技術分野】
【０００１】
本発明は、防災照明装置に点検を実行させる機器点検装置及び機器点検装置を監視する点検システムに関する。
【背景技術】
【０００２】
誘導灯や非常灯などの防災照明装置は、停電時などの非常時には自己内部の二次電池によって、所定時間点灯しなければならない。二次電池によって、誘導灯は２０分以上点灯しなければならないことが消防法に、非常灯は３０分以上点灯しなければならないことが建築基準法において定められている。また、これらの防災照明装置は、二次電池によって、所定時間の間点灯し続けるかどうかを６ヶ月周期で点検することが義務付けられている。
【０００３】
この点検を人間が、誘導灯あるいは非常灯などを一つ一つ、２０分あるいは３０分点灯し続けるかどうかを確認するのは非常に手間がかかるので、防災照明装置にネットワークにおける端末機能を付加し、防災照明装置に対して点検を行う診断モードへの切替を指示する機器点検装置が特許文献１に開示されている。
また、大きな工場などにおいては、より大規模なシステムで一括して防災照明装置を管理したいという要望により、特許文献１に開示されているような機器点検装置を複数管理する監視装置が特許文献２に開示されている。
【０００４】
そして、特許文献２に開示されているようなシステムにおいては、監視装置及び機器点検装置の両方から防災照明装置に対する操作が可能になっているが、両機器からの指示に矛盾が発生することがある。例えば、監視装置から防災照明装置に対して点検を実行しなさいという指示が実行されたときに、機器点検装置の方では、二次電池からの電源供給を停止させなさいといった指示が実行された場合などである。この矛盾を解決するために、機器点検装置に監視装置が接続されたことを契機にして機器点検装置から防災照明装置に対する操作を無効にする技術が特許文献３に開示されている。
【特許文献１】特開平３−２２８４９７号公報
【特許文献２】特開２００４−１１９１５１号公報
【特許文献３】特開２００５−１８３３２１号公報
【発明の開示】
【発明が解決しようとする課題】
【０００５】
ところで、上述のような点検システムにおいて、機器点検装置にスケジュールに従って防災照明装置に点検を実行させることが考えられる。つまりスケジュールを機器点検装置が記憶しておき、それに従って自動的に防災照明装置に点検の指示をだすものである。このようなシステムにおいてシステム管理者が機器点検装置あるいは監視装置を操作して、防災照明装置に対する操作を行うことがある。このとき、システム管理者による防災照明装置に対する入力内容が、スケジュールによる点検と矛盾することが考えられるので、スケジュールによる点検を停止することになる。
【０００６】
このような場合において、スケジュールによる点検への復帰操作を施工業者などが忘れてしまったときには、それ以降、防災照明装置の点検が実行されないという問題が発生する。
そこで、本発明においては、上述のような点検システムにおいて、スケジュールに基づく点検処理を中断した場合に、機器点検装置を確実にスケジュールに基づく点検に復帰させることが可能な点検システムを提供することを目的とする。
【課題を解決するための手段】
【０００７】
上記課題を解決するため、本発明に係る点検システムは、監視装置と、当該監視装置に接続されている複数の機器点検装置と、各機器点検装置に接続されている１以上の被点検装置とからなる点検システムであって、前記監視装置は、自装置に接続されている複数の機器点検装置がスケジュールに基づく所定点検処理を実行しているか否かを検出する検出手段と、前記検出手段により、前記複数の機器点検装置のうち一の機器点検装置が前記所定点検処理を所定期間以上実行しておらず、当該所定期間において、前記一の機器点検装置を除くその他の機器点検装置のうち、所定数の機器点検装置が前記所定点検処理を実行している場合に、前記一の機器点検装置に対して、前記所定点検処理の実行を開始する実行開始命令を送信する送信手段とを備え、前記機器点検装置は、自装置に接続されている被点検装置それぞれに点検を行わせる日時を示したスケジュールを記憶する記憶手段と、前記記憶手段に記憶されている前記スケジュールに従って、各被点検装置に点検を実行させる実行手段と、前記実行手段が前記スケジュールに従った所定点検処理を実行している場合に、前記所定点検処理を停止する停止手段とを備え、前記実行手段は、前記所定点検処理を実行していないときに、前記監視装置からの前記実行開始命令を受信すると、前記所定点検処理の実行を開始することを特徴としている。
【発明の効果】
【０００８】
上述のような構成によって、本発明に係る点検システムの、機器点検装置は、スケジュール点検を中止しても、確実にスケジュール点検を再開できる。
機器点検装置に対して施工業者がなんらかの操作を行うためにスケジュール点検を停止させることが考えられるが、所定時間をおくことで、施工業者に対して施工業者が操作を行う時間的余裕を与えることができる。また、それと共に、施工業者が作業を終えてスケジュール点検の再開操作を忘れたとしても、所定時間後にはスケジュール点検が再開される構成を実現できる。
【０００９】
また、機器点検システム設置時、例えばビルが完成した直後においては、人が入るまでは間があるため機器点検システムが稼動している必要がないが、所定割合の機器点検装置がスケジュール点検を実行しているかどうかを検出することで、その割合を上回っていない場合には、スケジュール点検を実行しない構成を実現できる。
また、前記点検システムにおいて前記所定数は、前記監視装置に接続されている機器点検装置の総台数の所定割合に相当する台数によって定まることとしてよい。
【００１０】
これにより、監視装置に接続されている機器点検装置の総台数のうちスケジュール点検を実行している機器点検装置の割合によって前記所定数を決めることができる。こうすることで点検システムのシステム管理者は、その割合を自分で決めて、監視装置に、スケジュール点検を実施していなかった機器点検装置に対するスケジュール点検を実行指示を出させることができる。例えば、点検システムで１台でも稼動していれば、残りの機器点検装置にスケジュール点検を実行させる構成にするために割合を低く設定したり、あるいは機器点検装置をまとめて数台点検する場合もあることを考慮に入れて例えば７割以上が稼動していれば、残りの機器点検装置もスケジュール点検を実行させる構成などが実現でき、システムに必要とされる設定ができるようになる。
【００１１】
また、前記点検システムにおいて前記監視装置は、更に、前記所定数の機器点検装置が自装置に接続されている被点検装置のスケジュール点検の終了期限を示す終了指定日を取得する取得手段を備え、前記送信手段は、前記実行開始命令と共に、前記取得手段で取得した前記終了指定日をも送信し、前記機器点検装置は、更に、受信した前記終了指定日までに自装置に接続されている全ての被点検装置の点検が終了するようにスケジュールを作成するスケジュール作成手段を備え、前記実行手段は、前記スケジュール作成手段によって作成されたスケジュールに基づく前記所定点検処理を実行することとしてよい。
【００１２】
これにより、スケジュール点検を実行していなかった機器点検装置は、その他の機器点検装置がスケジュール点検を終了することが望まれる日にちに、自己に接続されている防災用照明装置の点検を終了することができる。
こうして、監視装置に接続される機器点検装置のスケジュール点検の終了期日を揃えることができるようになるので、システム管理者は、無駄に点検結果の関係省庁への報告を行わなくて済む。
【００１３】
また、本発明は、複数の機器点検装置が接続されている監視装置であって、自装置に接続されている複数の機器点検装置がスケジュールに基づく所定点検処理を実行しているか否かを検出する検出手段と、前記検出手段により、前記複数の機器点検装置のうち一の機器点検装置が前記所定点検処理を所定期間以上実行しておらず、前記所定時間が経過した場合において、前記一の機器点検装置を除くその他の機器点検装置のうち、所定数の機器点検装置が前記所定点検処理を実行しているときには、前記一の機器点検装置に対して、前記所定点検処理の実行を開始する実行開始命令を送信する送信手段とを備えることを特徴としている。
【００１４】
これにより、監視装置は、機器点検装置に対して、スケジュール点検実行開始の指示を、機器点検装置がスケジュール点検を実行していなかった時間と、その他の機器点検装置の動作状態に基づいて出すことができるようになる。また、当該監視装置があることで点検システムの構築が容易になる。
また、前記機器点検装置は、自装置に対して自装置に接続されている全ての被点検装置が終了指定日までに点検が終了するように設定されているスケジュールに従って、自装置に接続されている被点検装置に自己の点検を実行させており、前記監視装置において、前記送信手段は、前記一の機器点検装置に対して、前記実行開始命令と共に、前記一の機器点検装置が前記終了指定日までに被点検装置の点検が終了するスケジュールを作成するために、自装置に接続されている他の機器点検装置の終了指定日の情報をも送信することとしてよい。
【００１５】
これにより、監視装置は、スケジュール点検を実行していない機器点検装置に対してスケジュール点検を終了する日時を指定できるので、例えば、機器点検装置のスケジュール点検の終了する日時を揃えることができる。
また、本発明は、監視装置と、１以上の被点検装置とが接続されている機器点検装置であって、前記１以上の被点検装置に自装置に設定されているスケジュールに従って順次点検を行わせる所定点検処理を実行する実行手段と、前記実行手段において、前記所定点検処理を実行している場合に、前記所定点検処理を停止する停止手段と、前記監視装置から、スケジュールに従って前記所定点検処理の実行開始支持と、自装置に接続されている全ての被点検装置の点検処理の終了期限を示す終了指定日を受信する受信手段と、受信した前記終了指定日までに自装置に接続されている全ての被点検装置の点検が終了するようにスケジュールを作成するスケジュール作成手段とを備え、前記実行手段は、前記スケジュール作成手段によって作成されたスケジュールに従って前記所定点検処理を実行することを特徴としている。
【００１６】
これにより、機器点検装置は、監視装置に指定された日までに自装置に接続されている被点検装置の点検を終了するようにスケジュールを組み、そのスケジュールに従った点検を実行できる。
また、  監視装置と、当該監視装置に接続されている複数の機器点検装置と、機器点検装置に接続されている１以上の被点検装置とからなる点検システムにおけるスケジュール点検開始方法であって、前記監視装置が、自装置に接続されている複数の機器点検装置がスケジュールに基づく所定点検処理を実行しているか否かを検出する検出ステップと、前記検出手段により、前記複数の機器点検装置のうち一の機器点検装置が前記所定点検処理を所定期間以上実行しておらず、前記所定時間が経過したとき、前記一の機器点検装置を除くその他の機器点検装置のうち、所定数の機器点検装置が前記所定点検処理を実行している場合に、前記一の機器点検装置に対して、前記所定点検処理の実行を開始する実行開始命令を送信する送信ステップと、前記機器点検装置が、前記実行開始命令を受けると、スケジュールに従って自装置に接続されている被点検装置それぞれに点検を実行させる実行ステップとを含むことを特徴としている。
【００１７】
この方法を実行することにより、点検システムにおいて機器点検装置は、スケジュール点検を確実に実行することができる。
【発明を実施するための最良の形態】
【００１８】
以下、本発明の一実施形態である点検システムについて図面を用いて説明する。
＜実施の形態１＞
＜構成＞
まず、図１を用いて点検システムのシステム構成について説明する。
図１に示すように、点検システムは、監視装置１００と、機器点検装置１１０ａ〜１１０ｎと、誘導灯や非常灯などの防災用の照明装置０１ａ〜６０ａ、０１ｂ〜６０ｂ、・・・、０１ｎ〜６０ｎと、管理装置１３０とを含んで構成される。
【００１９】
監視装置１００は、自機に接続されている機器点検装置を管理し、各機器点検装置から、それぞれの機器点検装置に接続されている照明装置の点検結果や、機器点検装置がスケジュールに基づく点検を実行しているか否かの情報を得る機能を有する。また、監視装置１００は、HTTP（Hyper Text Transfer Protocol）サーバとしての機能も有し、管理装置１３０に対して、イーサネット（登録商標）規格に基づく通信によって、機器点検装置の状態や、照明装置の点検結果などの情報を送信する機能を有する。監視装置１００の詳細な機能構成については、図２を用いて後述する。
【００２０】
機器点検装置１１０ａには、誘導灯０１ａ〜６０ａが接続されており、操作盤１１１ａが設けられている。機器点検装置１１０ａは、FTP（File Transfer Protocol）サーバとしての機能を有し、誘導灯０１ａ〜６０ａを管理し、各誘導灯に対して自機で記憶しているスケジュールに従って、点検を実行させるための指示を出力する機能を有する。また、機器点検装置１１０ａは、操作盤１１１ａからのユーザ入力を受け付けて、あるいは監視装置１１０からの指示を受け付けて、受け付けた指示内容に従って誘導灯の操作を行う機能も有する。更に、機器点検装置１１０ａは、監視装置からの要請に応じて、自機で管理している誘導灯の点検結果や、自機がスケジュールに基づく点検を誘導灯に実行させているかなどの情報を送信する機能も有する。機器点検装置１１０ａの詳細な機能構成については、図３を用いて後述する。機器点検装置１１０ｂ〜１１０ｎは、点検指示の対象が誘導灯ではなく非常灯のものもあるものの機器点検装置１１０ａと同様の機能を有するものであるため、説明を割愛する。
【００２１】
誘導灯０１ａ〜６０ａそれぞれは、機器点検装置１１０ａからの指示に従って、自機の機器点検を実行する機能を有する。自機の機器点検とは、自機内部の二次電池だけで、２０分以上、点灯させることができるか、機器点検装置との通信に異常は発生していないかどうか、ランプに異常はないか、などを点検することをいう。二次電池が２０分以上ランプを点灯させられるかについては、二次電池が２０分以上規定の電圧値を下回らずに放電し続けるかどうかによって判定する。また、ランプの異常については、ランプ電流の有無によって判定する。機器点検装置との通信異常については、機器点検装置側で３０分異常経過しても点検結果が返されなかったことで検知する。二次電池は点検終了後、外部電源に切り替わって自動的に充電される。点検結果については、定められたプロトコルに従い点検結果が送信される。例えば、点検の結果が問題ない場合には「００００」というデータを、電池に異常があった場合には「０００１」というデータを返すことなどが予め定められており、ここに記述した以外の異常についても返すデータは定められている。非常灯０１ｂ〜６０ｂや誘導灯０１ｎ〜６０ｎは、誘導灯０１ａ〜６０ａと同等の機能を有するものであるため、説明を割愛する。以下、誘導灯や非常灯を単に照明装置と記述する。
【００２２】
管理装置１３０は、PCであり、モニタ上で、監視装置１００に接続されている機器点検装置や、機器点検装置に接続されている防災用照明装置の状態を閲覧する機能を有する。また、監視装置で用意されている管理用のウェブページでのCGI入力などにより、機器点検装置や、防災用照明装置に対する操作を受け付け、その操作内容を監視装置１００に伝達する機能を有する。
【００２３】
では、監視装置１００の詳細について説明する。
図２の機能ブロック図に示すように、監視装置１００は、上位通信部２１０と、検出部２２０と、動作情報取得部２３０と、記憶部２４０と、実行指示部２５０と、下位通信部２６０とを含んで構成される。
上位通信部２１０は、管理装置１３０とネットワークを介してHTTP規格に基づく通信を実行する機能を有し、記憶部２４０に記憶されている機器点検装置１１０ａ〜１１０ｎや、それぞれに接続されている照明装置の状態の情報を管理装置１３０に転送する機能を有する。また、上位通信部２１０は、管理装置１３０からの機器点検装置や照明装置に対する指示を下位通信部２６０に伝達する機能も有する。
【００２４】
検出部２２０は、動作情報取得部２３０によって取得された各機器点検装置の状態をモニタしており、一つの機器点検装置がスケジュール点検を実行しておらず、他の機器点検装置の８割以上がスケジュール点検を実行している場合に、その旨とスケジュール点検を実行していない機器点検装置の情報を実行指示部２５０に伝達する機能を有する。
動作情報取得部２３０は、下位通信部２６０を介して、各機器点検装置から各機器点検装置がスケジュール点検を実行しているかどうかの状態情報や、照明装置の点検結果情報を取得し、記憶部２４０に書き込む機能を有する。
【００２５】
記憶部２４０は、HDD（Hard Disc Drive）装置などによって実現され、主に、動作情報取得２３０によって取得された機器点検装置の状態や、照明装置の点検結果の情報やその履歴を記憶する機能を有する。
実行指示部２５０は、検出部２２０から、機器点検装置の情報と、その機器点検装置がスケジュール点検を実行していないという情報を受け取った場合に、当該機器点検装置に対してスケジュール点検を実行するよう実行指示を下位通信部２６０を伝達する機能を有する。
【００２６】
下位通信部２６０は、機器点検装置１１０ａ〜１１０ｎとFTP規格に基づく通信を実行する機能を有し、動作情報取得部２３０からの指示により、各機器点検装置の状態や点検結果を取得し、動作情報取得部２３０に伝達する機能と、実行指示部２５０から受け取った実行指示をスケジュール点検を実行していない機器点検装置に対して伝達する機能を有する。また、下位通信部２６０は、上位通信部２１０を介して管理装置１３０からの指示を機器点検装置やそれに接続されている照明装置に対して送信する機能も有し、当該指示が情報を要求するものであった場合には、その情報を送り返す機能を有する。
【００２７】
以上が監視装置１００を構成する各機能部の説明である。
次に機器点検装置の機能構成を図３を用いて説明する。各機器点検装置は、略同一の機能構成を有するので、代表として機器点検装置１１０ａについて説明する。
機器点検装置１１０ａは、第１通信部３１０と、ユーザ入力受付部３２０と、スケジュール点検実行部３３０と、記憶部３４０と、操作処理部３５０と、第２通信部３６０とを含んで構成される。
【００２８】
第１通信部３１０は、監視装置１００とFTP規格に基づく通信を実行する機能を有し、監視装置１００からの要求に応じ記憶部３４０に記憶されている点検結果３４２や、機器点検装置１１０ａがスケジュール点検を実行しているかどうかの状態情報を送信する機能を有する。また第１通信部３１０は、監視装置１００からの伝達されてきた照明装置に対する指示を操作処理部３５０に伝達する機能も有する。
【００２９】
ユーザ入力受付部３２０は、操作盤１１１ａを含み、操作盤１１１ａを介して受け付けたユーザからの照明装置に対する指示である入力内容を操作処理部３５０に伝達する機能を有する。また、ユーザ入力受付部３２０は、操作盤１１１ａで入力を受け付けた場合に、その旨をスケジュール点検実行部３３０に伝達する機能も有する。
スケジュール点検実行部３３０は、記憶部３４０に記憶されているスケジュール３４１を参照して、機器点検装置１１０ａに接続されている照明装置０１ａ〜６０ａに対して点検を行わせるための指示を第２通信部３６０に伝達する機能を有する。また、スケジュール点検実行部３３０は、ユーザ入力受付部３２０から、ユーザの入力を受け付けた旨を通知された場合に、スケジュール点検の実行を中止する機能も有する。もし、スケジュール点検を照明装置に指示し、その結果を得ていない状態である場合には、点検を実行していた照明装置に対して点検の中止命令を第２通信部３６０を介して伝達する。更に、スケジュール点検実行部３３０は、第１通信部３１０からスケジュール点検の実行指示を受けた場合には、スケジュール点検を中断していたところから、スケジュール点検を再開する。中断された箇所の判定は、記憶部３４０に記憶されている最新の点検結果に基づいて、どの照明装置の点検まで終了していたかを判定する。スケジュール点検を中断していた間にある照明装置の点検を実行する日が経過してしまった場合には、スケジュール点検実行部３３０は、スケジュール点検を再開したタイミングで再開した時点で点検が終了していなければならない照明装置に点検を行わせる指示を第２通信部３６０に伝達する機能も有する。
【００３０】
記憶部３４０は、HDD装置などによって実現され、主にスケジュール３４１と、点検結果３４２とを記憶する機能を有する。スケジュール３４１は、各照明装置が自己点検を実行すべき日時を示した情報であり、その詳細については後述する。点検結果３４２は、各照明装置で実行された点検結果に関する情報であり、スケジュールに従った点検とユーザの指示に従った点検の両方の結果に関する情報を含む。
【００３１】
操作処理部３５０は、ユーザ入力受付部３２０から受け付けた入力内容である照明装置に対する操作の内容を第２通信部３６０に伝達する機能を有する。また、第１通信部３１０を介して監視装置から受けた照明装置に対する操作内容を解析し、第２通信部３６０を介してその操作内容を実行する指示を出力する機能も有する。
第２通信部３６０は、照明装置０１ａ〜６０ａに接続されており、各照明装置と、RＳ４８５の規格に基づく通信を実行する機能を有する。第２通信部３６０は、スケジュール点検実行部３３０からの指示により指定された照明装置に対する点検を実行する指示を伝達する機能と、操作処理部３５０からの操作指示を受けて、指定された照明装置に対しての操作指示を伝達する機能とを有する。また、照明装置から点検結果が返されてきた場合に、その点検結果の情報を記憶部３４０の点検結果３４２に書き込む機能も有する。
【００３２】
以上が機器点検装置１１０ａの各機能部の説明である。
最後に照明装置に関する説明を簡単にしておくと、各照明装置は、機器点検装置とRＳ４８５の規格に基づく通信を行い、点検指示を受けた場合に、自己のランプが二次電池によって定められた時間点灯し続けるかどうかなどを点検し、その点検結果の情報を機器点検装置に出力する機能を有する。
＜データ＞
ここでは、点検システムに係るデータについて説明する。
【００３３】
図４は、機器点検装置が記憶しているスケジュール３４１に関する情報の具体例である。ここでは代表として機器点検装置１１０ａが保持するスケジュール３４１を示しているが、他の機器点検装置も同様のものを保持している。
スケジュール３４１は、機器点検装置１１０ａに接続されている各照明装置番号に対応して、それぞれの照明装置が点検を実行すべき日が記された情報である。なお、スケジュール３４１には点検日のみを記述しているが、基本的にその日の１２時に点検を実行するものとする。スケジュールは、スケジュール点検を開始した日時から６ヶ月以内に全ての照明装置の点検が終了するように組まれている。また、同日に全ての照明装置の点検を実行していないのは、全ての照明装置の点検を同日に実行していたときに何らかの災害が発生した場合に防災用照明装置としての用を果たさない、つまり点検途中であったために点灯すべき非常灯が点灯せず避難が困難になったりする可能性があるためである。図４によれば、例えば、照明装置番号３６ａの照明装置は６月１４日に点検を実行することになっている。
【００３４】
また、スケジュール３４１には、機器点検装置１１０ａが自機に接続されている照明装置全ての点検を終了していなければならない期日も記録されている。ここでは、機器点検装置１１０ａが点検を終了しなければいけない期日は８月３１日である。スケジュールの通りに点検が実行されれば、最後の照明装置の点検は８月２５日に実行されるので、期日に間に合うことになっている。
【００３５】
次に、管理装置でモニタできる監視装置１００が管理する機器点検装置や照明装置の状態の情報の表示例を図５と図６とに示した。
図５は、監視装置１００に接続されている機器点検装置の状態と、機器点検装置に接続されている照明装置の状態を示す表示例である。
機器点検装置ステータスウィンドウ５０１には、各機器点検装置がスケジュールに基づく点検を実行しているか否かが表示される、スケジュール点検を実行していない場合には、機器点検装置の前のボックスに×が表示される。
【００３６】
照明装置ステータスウィンドウ５０２には、機器点検装置ステータスウィンドウ５０１でユーザにより選択された機器点検装置に接続されている照明装置の状態が示される。ここでは機器点検装置１１０ａに接続されている照明装置０１ａ〜６０ａの状態が示されている。例えば、照明装置０５ａでは、内蔵の二次電池が電池切れを起こしていることを示し、照明装置０７ａでは、機器点検装置１１０ａの指示により、スケジュールに基づく点検を実行中であることが示されている。
【００３７】
図６は、一つの照明装置の点検結果の履歴を示した表示例である。図５に示した照明装置ステータスウィンドウ５０２で一の照明装置がユーザによって選択された場合に図６に示すような画面が表示される。
照明装置番号ウィンドウ６０１には、表示している点検履歴がどの機器点検装置に接続されている、どの照明装置の点検履歴であるかを示す情報が表示される。
【００３８】
履歴ウィンドウ６０２には、照明装置で過去に実行された点検や処理の内容を示す情報が示されており、ここでは、日付欄６０３に対応するように処理内容欄６０４が設けられている。日付欄６０３には、何らかの操作が照明装置において行われた日時が示されており、処理内容欄６０４には、照明装置で行われた処理の内容が示されている。図６に示した表示例からは、例えば、照明装置０４ａにおいては、２００６年３月１０日の１２時に定期点検が実行され、同日の１２時２０分に定期点検が終了し、異常がなかったことがわかる。
【００３９】
以上が点検システムに係るデータである。
＜動作＞
次に、点検システムにおけるデータのやり取りや、装置における動作について説明する。まず、実施の形態１における機器点検装置と照明装置間のやり取りについて図７に示すタイミングチャートを用いて説明する。
【００４０】
ここでは代表として機器点検装置１１０ａと、照明装置である誘導灯０１ａ〜６０ａとの間におけるやり取りを示しているが、その他の機器点検装置とそれに接続されている照明装置間においても同様に実行されている。本タイミングチャートでは、スケジュールに従って照明装置の点検が実行されていることを示す。
機器点検装置１１０ａにおいては、記憶部３４０に記憶されているスケジュール３４１に従って、スケジュール点検実行部３３０が、スケジュール点検を実行している（ステップＳ７０１）。スケジュール点検実行部３３０は、内蔵のタイマ（図示せず）により、３月１日１２時が到来したことを検出すると、第２通信部３６０に、照明装置０１ａに対する点検実行の命令を伝達する。当該命令を受けた第２通信部３６０は、その命令が照明装置０１ａに対するものであることを解析して、照明装置０１ａにその命令を送信する（ステップＳ７０３）。
【００４１】
点検実行命令を受信した照明装置０１ａは、外部電源からの電力供給を切断し、自己内部の二次電池のみでランプが２０分（非常灯の場合には３０分）点灯し続けるかなどの点検を行う（ステップＳ７０５）。自機に設定されている点検項目の全ての点検が終了したなら、異常がなかった場合には、異常なしの情報を、異常があった場合には、異常があった箇所の情報を第２通信部３６０に送信する（ステップＳ７０７）。点検結果の情報を受けた第２通信部３６０は、その情報を点検結果３４２に新たに書き込む。なお、異常があった場合には、その旨が更に監視装置を通じて管理装置のユーザにその旨が表示され伝達される。ユーザが表示された内容に従って照明装置の整備を行う。
【００４２】
次に、３日後の３月４日の１２時になったら、スケジュール３４１における照明装置０２ａの点検日時に合致するので、第２通信部３６０に対して、照明装置０２ａの点検実行指示を伝達する。当該指示を受けた第２通信部３６０は、 照明装置０２ａにその指示を伝達する（ステップＳ７０９）。
当該指示を受けた照明装置０２ａは、自己における二次電池のみでランプが２０分点灯し続けるかどうかなどの点検を実行する（ステップＳ７１１）。そして、点検が終了したら、その点検結果の内容を第２通信部３６０に送信する（ステップＳ７１３）。そして第２通信部３６０はその点検結果の内容を点検結果３４２に追加する。
【００４３】
以下各照明装置についてそれぞれの点検日が到来したら、スケジュール点検実行部３３０の指示に基づいて照明装置が点検を行い、その結果の情報が点検結果３４２に追加して書き込まれていく。
そして、８月２５日の１２時が到来したならば、スケジュール３４１における照明装置６０ａの点検日時に合致するので、第２通信部３６０に対して、照明装置６０ａの点検実行指示を伝達する。当該指示を受けた第２通信部３６０は、 照明装置６０ａにその指示を伝達する（ステップＳ７１５）。
【００４４】
当該指示を受けた照明装置６０ａは、自己における二次電池のみでランプが２０分点灯し続けるかどうかなどの点検を実行する（ステップＳ７１７）。そして、点検が終了したら、その点検結果の内容を第２通信部３６０に送信する（ステップＳ７１９）。そして第２通信部３６０はその点検結果の内容を点検結果３４２に追加する。ここで、スケジュールに基づく全ての照明装置の点検が終了し、一巡が終了したことになる。以降においては、新たなスケジュールがユーザから与えられたりして、その新たなスケジュールに従って次の一巡のスケジュール点検を実行する。なお、一巡したことは、スケジュール点検実行部３３０がスケジュールに記載されている最後の日の点検日に対応する照明装置からの点検結果を得ることで検知する。
【００４５】
例えば、次のスケジュールにおいて、照明装置０１ａの点検を実行する日が９月１に設定されていた場合に、９月１日の１２時になった時点で機器点検装置１１０ａは、照明装置０１ａに対して、点検の実行指示をだし（ステップＳ７２１）、その指示に対応して照明装置０１ａは、自己の点検を実行する（ステップＳ７２３）。そして、点検が終了したら、その点検結果の情報が機器点検装置１１０ａに返される（ステップＳ７２５）。以下、各照明装置は、順に機器点検装置１１０ａによって、点検指示が出され、点検を実行し、点検結果を機器点検装置に転送する。
【００４６】
以下、照明装置の定期的な点検が実行され、その点検結果の情報が点検結果３４２として蓄積されていく。
次に、監視装置と各機器点検装置との間におけるやり取りを図８のタイミングチャートを用いて説明する。ここでは、特にある機器点検装置においてスケジュール点検が中断された場合における処理を示している。
【００４７】
監視装置１００は、各機器点検装置に対して、所定時間、例えば１０分ごとにそれぞれの機器点検装置の状態や、それぞれが保持している照明装置の点検結果や、その時点における照明装置の状態の情報を要求し、各機器点検装置は、その要求に応じて、それらの情報を監視装置１００に送信している。
そして、機器点検装置１１０ａの操作盤１１１ａにおいて、ユーザからの操作を受け付けたとする。当該操作をユーザ入力受付部３２０で受け付ける（ステップＳ８０１）と、ユーザ入力受付部３２０は、スケジュール点検実行部３３０に対してスケジュールに基づく点検の実行を中止させる。つまり、スケジュール点検実行部３３０は、スケジュール３４１に記されている日付と自機のタイマによって刻まれる日付とが一致するかどうかをみて照明装置に対する点検の指示を出しているが、この日付の比較を中止する。なお、ユーザからの操作が監視装置を介して行われた場合には、スケジュール点検実行部３３０に対してスケジュール点検の中止を依頼するのは第１通信部３１０になる。そして、機器点検装置１１０ａは、ユーザからの操作に基づいて照明装置の操作を行う。
【００４８】
一方、監視装置１００は、スケジュール点検が停止中であることをステップＳ８０３後の最初の情報取得処理において検知することになる。つまり、監視装置１００は、機器点検装置１１０ａに対して、機器点検装置１１０ａがスケジュール点検を実行しているかどうかの状態情報と、機器点検装置１１０ａに接続されている照明装置の点検結果の情報を要求する（ステップＳ８０５）。
【００４９】
そしてこの要求に対して機器点検装置１１０ａは、自機がスケジュール点検を実行していないという状態情報と、それまでの照明装置の点検結果などの情報を送り返す（ステップＳ８０７）。この情報を受けて監視装置１００は、機器点検装置１１０ａがスケジュール点検を中止している情報と、この情報を受け取った時間と対応して記憶部２４０に記憶する。
【００５０】
ほぼ同時に監視装置１００は、その他の機器点検装置に対しても同様の情報の要求を行っている。例えば機器点検装置１１０ｂに対して、状態情報と点検結果の情報を要求し（ステップＳ８０９）、その要求に対して機器点検装置１１０ｂは、自機がスケジュール点検を実行中であることを示す状態情報と点検結果の情報を送り返す（ステップＳ８１１）。機器点検装置１１０ｎに対して、状態情報と点検結果の情報を要求し（ステップＳ８１３）、その要求に対して機器点検装置１１０ｂは、自機がスケジュール点検を実行中であることを示す状態情報と点検結果の情報を送り返す（ステップＳ８１５）。
【００５１】
以下、この状態情報と点検結果の情報の要求と返信が１０分ごとに行われる。
そして、監視装置１００の検出部２２０が、機器点検装置ａがスケジュール点検を行っていないという情報を得たタイミングから所定時間、例えば２４時間経過したことを検知し、かつ、その他の機器点検装置からはスケジュール点検を実行しているという状態情報を受けていることを検知したとする（ステップＳ８１７）。
【００５２】
この場合、機器点検装置１００は、機器点検装置１１０ａに対してユーザが操作を行い、スケジュール点検の実行再開の指示を実行するのを忘れたと判断し、実行指示部２５０は、下位通信部２６０を介して、機器点検装置１１０ａに対して、スケジュール点検を実行する実行指示を出力する（ステップＳ８１９）。
そして、機器点検装置１１０ａのスケジュール点検実行部３３０は、スケジュール点検を実行した最後の照明装置の点検結果と、スケジュール点検指示を受信した日を比較し、その間にスケジュール点検を実行しているべき、照明装置があったなら、その照明装置に対して点検指示を出す。また、その時点から、スケジュール点検を再開する（ステップＳ８２１）。
【００５３】
最後に、監視装置１００のスケジュール点検を実行していない機器点検装置にスケジュール点検を実行させるための判断に係る動作を図９に示すフローチャートを用いて説明する。
監視装置１００の動作情報取得部２３０は、自機に接続されている各機器点検装置に対して、それぞれの状態情報や、各機器点検装置に接続されているそれぞれの照明装置の点検結果などの情報を所定時間、例えば１０分ごとに収集している（ステップＳ９０１）。そして、検出部２２０は、状態取得処理で、スケジュール点検を停止しているという情報がないかをモニタしている（ステップＳ９０３）。
【００５４】
スケジュール点検を停止しているという情報を得ていない場合（ステップＳ９０３のＮＯ）は、ステップＳ９０１に戻り、以降の処理を実行する。動作情報取得部２３０は、スケジュール点検を停止しているという情報を得た場合（ステップＳ９０３のＹＥＳ）には、スケジュール点検を停止しているという情報を送信してきた機器点検装置の番号と、スケジュール点検を停止しているという情報と、その情報を取得した日時とを対応付けて記憶部２４０に記憶する（ステップＳ９０５）。その後、監視装置１００は、今までどおり１０分ごとの状態取得処理を続ける。このとき、スケジュール点検を停止していた機器点検装置から、スケジュール点検を実行しているという情報を得ていた場合（ステップＳ９０７のＮＯ）には、その機器点検装置がスケジュール点検を停止しているという情報と共に停止した日時の情報を記憶部２４０から削除する。また、一度スケジュール点検を実行していないことが記録された機器点検装置については、その情報が記憶部２４０から削除されるまでは、新たに記録されない。
【００５５】
そして、機器点検装置がスケジュール点検を停止しているという情報を記憶してから、所定時間、例えば２４時間が経過したとする（ステップＳ９０７のＹＥＳ）。２４時間、スケジュール点検を実行していないことを検出した検出部２２０は、次に、他の機器点検装置の動作状態を確認する。具体的には、検出部２２０は、スケジュール点検を実行していないとされた機器点検装置以外の機器点検装置の８割以上がスケジュール点検を実行しているかどうかを判断する（ステップＳ９０９）。
【００５６】
機器点検装置の８割以上がスケジュール点検を実行していなかった場合（ステップＳ９０９のＮＯ）、例えば一括で点検を行っていてスケジュール点検を実行していない場合などには、ステップＳ９０１に戻り以降の処理を実行する。
機器点検装置の８割以上がスケジュール点検を実行していた場合（ステップＳ９０９のＹＥＳ）には、検出部２２０は、スケジュール点検を実行していない機器点検装置の情報を実行指示部２５０に伝達する。そして、実行指示部２５０は、受け取った機器点検装置の情報に基づいて、当該機器点検装置に対して、スケジュール点検を実行させる実行指示を出力する（ステップＳ９１１）。当該実行指示を受けた機器点検装置は、スケジュール点検を再開する。そして、ステップＳ９０１に戻り、以降の処理を実行する。
【００５７】
以上が、実施の形態に係る点検システムにおける動作の説明である。
＜実施の形態２＞
実施の形態１においては、機器点検装置がスケジュール点検装置が、スケジュール点検を実行していない場合に、スケジュール点検を実行させる手法について説明したが、実施の形態２においては、点検システムに新たな機器点検装置が追加された場合に、当該機器点検装置で実行されるスケジュール点検の終了日時をもとより点検システムに含まれている機器点検装置のスケジュールの終了期日に揃えることを示す。
【００５８】
実施の形態２においては、主に実施の形態１と異なる部分について説明し、実施の形態１と同様の部分については、説明を割愛する。
＜構成＞
まず、図１０に実施の形態２における点検システムのシステム図である。本図にあるように、実施の形態２においては、実施の形態１の図１に示したシステムに加え、機器点検装置１００ｐと、それに接続されている照明装置０１ｐ〜６０ｐが追加されている。
【００５９】
監視装置１００における動作情報取得部２３０は、実施の形態１で示した機能に加え、各機器点検装置がスケジュール点検での一巡の点検終了期日の情報を取得する機能を有する。
また、実行指示部２５０は、実施の形態１で示した機能に加え、スケジュール点検を実行すべき機器点検装置に対して、動作情報取得部２３０が取得した点検終了期日の情報を、スケジュール点検の実行指示と共に出力する機能を有する。
【００６０】
機器点検装置１００ｐの機能構成については、図１１の機能ブロック図を参照しながら説明する。
図１１に示すように、機器点検装置１００ｐは、第１通信部３１０と、ユーザ入力受付部３２０と、スケジュール点検実行部３３０と、操作処理部３５０と、第２通信部３６０と、スケジュール作成部１１００と、記憶部１１１０とを含んで構成される。
【００６１】
ここで、実施の形態１と同名の機能構成部については、実施の形態１と同等の機能を有する。
第１通信部３１０は、実施の形態１において示した機能に加えて、監視装置１００から伝達されたスケジュール点検を終了しているべき点検終了期日の情報をスケジュール作成部１１００に伝達する機能を有する。
【００６２】
スケジュール作成部１１００は、第１通信部３１０を介して監視装置１００から伝達された点検終了期日までに、自機に接続されている全ての照明装置の点検が終了しているようにスケジュールを作成する機能を有する。
記憶部１１１１は、実施の形態１に示した記憶部２４０とは異なり、スケジュール作成部１１００が作成したスケジュール１１１１を記憶する。
【００６３】
スケジュール点検実行部３３０は、スケジュール１１１１に示されるスケジュールに基づいて照明装置に点検を実行させる。
＜データ＞
次に、スケジュール作成部１１００が作成するスケジュールについて説明する。ここで、点検システムの機器点検装置は、図４に示したスケジュールに従って動作しているものとし、機器点検装置１１０ｐは４月１日に点検システムに追加されたとする。
【００６４】
通常なら、機器点検装置１１０ｐが自機に接続されている照明装置に点検を行わせるスケジュール１１１１は図１２に示すように、４月１日に開始して、６ヵ月後の９月３０日までに終了していれば良く、図においては９月２５日には、全ての照明装置は点検を終了している状態になる。しかし、これらの防災用の照明装置については、点検結果を報告する義務があり、システム管理者としては、その報告を一括して行えれば、面倒がなくてよい。
【００６５】
そこで、機器点検装置１１０ｐが点検システムに接続されるときに、監視装置は、他の機器点検装置から、その機器点検装置のスケジュールによる点検終了期日を取得し、その点検終了期日を機器点検装置１１０ｐに通知する。その通知された点検終了期日に基づいてスケジュール作成部１１００が作成したスケジュールの一例が図１３に示すスケジュール１１１１である。
【００６６】
図１３に示すように、スケジュール１１１１は、４月１日にスケジュールの点検を開始していても、８月３１日には、全ての照明装置の点検を終了させることができるように組まれている。本図においても、照明装置は、１２時に点検を行っており、スケジュール作成部１１００は、スケジュールを実施する日がなるべく均等になるようにスケジュールを作成する。ここでは、４月１日から８月３１日までの１５３日間を照明装置の台数６０で割ると、２．５５になるので、２日おきと３日おきを組み合わせてスケジュールを作成している。割った演算結果が１未満になる場合には、同日に２台以上の照明装置の点検を行うようにスケジュールを作成する。
＜動作＞
ここで、実施の形態２に係る点検システムにおける監視装置１００と機器点検装置との間で行われる動作について図１４を用いて説明する。図１４は、監視装置１００と機器点検装置１１０ａ〜１１０ｎ、１１０ｐが点検システムに接続された場合の流れを示したタイミングチャートである。
【００６７】
まず機器点検装置１１０ｐが監視装置１００に接続される（ステップＳ１４０１）。監視装置１００は、機器点検装置１１０ｐの接続を検出し（ステップＳ１４０３）、機器点検装置１１０ｐに対して点検システムにおけるアドレスであるアドレス情報を与え、状態情報を要求する（ステップＳ１４０５）。
次に、機器点検装置１１０ｐは、監視装置１００に対して、自機がスケジュール点検を実行していないことを示す情報を送信する（ステップＳ１４０７）。当該情報を受けて、監視装置１００は、機器点検装置１１０ｐがスケジュール点検を実行していないことを検出する（ステップＳ１４０９）。すると、監視装置１００は、機器点検装置１１０ａに対して、スケジュール点検の終了期日の情報を要求する（ステップＳ１４１１）。当該要求を受けた機器点検装置１１０ａは、スケジュールに記載されている点検終了期日を送信する（ステップＳ１４１３）。
【００６８】
監視装置１００の実行指示部３５０は、下位通信部３６０を介して、機器点検装置１００ｐに対して終了期日の情報と、スケジュール点検の指示を送信する（ステップＳ１４１５）。
機器点検装置１１０ｐのスケジュール作成部１１００は、当該終了期日に基づいて、機器点検装置１１０ｐに接続されている全ての照明装置の点検が受け取った終了期日までに終了するようにスケジュールを作成する（ステップＳ１４１７）。
【００６９】
そして、作成したスケジュールを記憶部１１１０にスケジュール１１１１として書き込み、スケジュール点検実行部３３０は、スケジュール１１１１に記された日程で照明装置に点検を実行させる（ステップＳ１４１９）。
防災設備において、誘導灯や非常灯などの照明の点検結果について、関係省庁に報告する義務が設備管理者に課せられているが、上記のような構成を備えることにより、機器点検装置のスケジュール点検の終了期日をそろえることができるので、一巡につき、報告を行う回数が一度ですむようになる。
＜補足＞
上記実施の形態に基づいて本発明に係る機器点検装置について説明してきたが、本発明の実施の形態がこれに限られるものではないことは勿論である。以下その変形例について説明する。
（１）上記実施の形態においては、機器点検装置に接続される照明装置は６０台としたが、別にこの台数に限る必要はなく、例えば２０台あるいは８０台であってもかまわない。また、全ての機器点検装置が同じ台数の照明装置を管理する必要もなく、それぞれ異なる台数の照明装置を管理していてもよい。
（２）上記実施の形態においては、管理装置において、各機器の状態を確認していたが、これは管理装置だけの機能である必要はなく、監視装置に各機器点検装置などの状態を確認するためのモニタを設けて、当該モニタで確認できてもよい。
（３）上記実施の形態においては、スケジュールには点検を実行する日にちのみを記載したが、更に時間も指定した記載にしてもよい。
（４）上記実施の形態においては、機器点検装置の８割以上がスケジュール点検を実行していた場合に、スケジュール点検を実行していなかった機器点検装置にスケジュール点検の実行を指示することとしたが、これは別に８割以外の割合でもよく、例えば５割などであってもよい。あるいは割合ではなく、台数を指定してもよい。つまり、機器点検装置が例えば２０台以上スケジュール点検を実行していた場合には、スケジュール点検を実行していない機器点検装置に対してスケジュール点検の実行を指示する構成にしてもよい。
【００７０】
また、この割合や台数は、システム管理者が自由に設定が変更できる構成にしてもよい。
（５）上記実施の形態において示した各通信部の通信の規格はこれらに限るものではなく、別の通信規格、例えばIEEE802.11の規格などであってもよい。
（６）上記実施の形態２においては、スケジュールを作成する場合には、１２時に点検を実施するものとしてスケジュールを作成したが、これは単純に、点検終了期日までを時間換算にして、その時間を照明装置の台数で割って、日時を指定したスケジュールを作成することとしてもよい。
（７）上記実施の形態２においては、新たに機器点検装置１１０ｐが点検システムに追加された場合にスケジュールをスケジュール作成部１１００が作成していたが、機器点検装置１１０ｐが予めシステムに組み込まれていた状態で機器点検装置１１０ｐが長時間、例えば２週間にわたってスケジュール点検を実行してなかった場合などに、スケジュール点検を再開したときにまとめてその２週間の間に点検を行うはずだった照明装置の点検を行わせずに、予め定められた終了期日までに、点検結果を返していない照明装置に関して、当該終了期日までに点検が終了するようにスケジュールを作成しなおしてもよい。
（８）上記実施の形態において、点検対象を防災用の照明装置としたが、これは別に照明装置でなくともよく、例えば、電力供給設備を点検対象としていてもよい。
（９）上記実施の形態において、複数の機器点検装置がそれぞれ異なる終了期日で終了するスケジュールで照明装置の点検を実行している場合に、監視装置がいずれか一つの機器点検装置の終了期日を取得し、当該終了期日の取得対象であった機器点検装置以外の機器点検装置に対して当該終了期日を伝達する。そして当該終了期日を受信した機器点検装置は、その終了期日までにスケジュール点検が終了するようにスケジュールを作成し、作成したスケジュールに従ってスケジュール点検を実行する構成としてもよい。
【００７１】
こうすることで、機器点検装置のスケジュール点検の終了期日を全て揃えることが可能となる。
（１０）上記実施の形態に示した各機能部は、１又は複数のLSI（Large Scale Integration）、VLSI（Very Large Scale Integration）により実現されてよく、一のLSIが各機能部全ての機能を実行できるシステムLSIであってもよい。
（１１）  また、前記監視装置において、前記所定数は、前記監視装置に接続されている機器点検装置の総台数の所定割合の台数によって定まることとしてよい。
【００７２】
これにより、監視装置は、スケジュール点検を実行している機器点検装置の割合を判断基準として、スケジュール点検を実行していない機器点検装置にスケジュール点検の実行指示をだすことができる。
（１２）また、前記点検システムにおいて前記被点検装置は、防災用照明装置であり、前記スケジュールは、各防災用照明装置が６ヶ月に１度点検が実施されるように設定されていることとしてよい。
【００７３】
これにより、機器点検装置が非常灯や誘導灯など防災用照明装置の点検を実行できるシステムとして点検システムを構築することができ、法に定められた基準に従って点検を実行できる。
【図面の簡単な説明】
【００７４】
【図１】本発明に係る点検システムの構成を示した概念図である。
【図２】点検システムに含まれる監視装置の機能構成を示した機能ブロック図である。
【図３】点検システムに含まれる機器点検装置の機能構成を示した機能ブロック図である。
【図４】機器点検装置が記憶している点検スケジュール表の例である。
【図５】監視装置に接続されている管理装置のモニタで確認できる各機器点検装置の点検状況の表示例である。
【図６】監視装置に接続されている管理装置のモニタで確認できる防災照明装置の点検履歴を示した表示例である。
【図７】点検システムにおける機器点検装置と照明装置間のやり取りの流れを示したタイミングチャートである。
【図８】点検システムにおいて機器点検装置がスケジュール動作に復帰するまでの監視装置と各機器点検装置間のやり取りの流れを示したタイミングチャートである。
【図９】監視装置において機器点検装置に対してスケジュール動作に復帰させる指示をだすための判断処理を示したフローチャートである。
【図１０】実施の形態２に係る点検システムのシステム構成図である。
【図１１】実施の形態２に係る機器点検装置の機能構成を示した機能ブロック図である。
【図１２】点検システムに新たに４月１日に組み込まれた機器点検装置が通常保持していればよいスケジュールの例である。
【図１３】点検システムに新たに組み込まれた機器点検装置が作成したスケジュールの例である。
【図１４】実施の形態２における機器点検装置１１０ｐがスケジュール動作を実行するまでの監視装置と機器点検装置間のやり取りの流れを示したタイミングチャートである。
【符号の説明】
【００７５】
１００  監視装置
１１０ａ〜１１０ｎ、１１０ｐ  機器点検装置
１１０ａ〜１１１ｎ、１１１ｐ  操作盤
０１ａ〜６０ａ、０１ｂ〜６０ｂ、０１ｎ〜６０ｎ  照明装置
１３０  管理装置
２１０  上位通信部
２２０  検出部
２３０  動作情報取得部
２４０  記憶部
２５０  実行指示部
２６０  下位通信部
３１０  第１通信部
３２０  ユーザ入力受付部
３３０  スケジュール点検実行部
３４０  記憶部
３５０  操作処理部
３６０  第２通信部
１１００  スケジュール作成部
１１１０  記憶部
【図１】
2007316908.tif 000003
【図２】
2007316908.tif 000004
【図３】
2007316908.tif 000005
【図４】
2007316908.tif 000006
【図５】
2007316908.tif 000007
【図６】
2007316908.tif 000008
【図７】
2007316908.tif 000009
【図８】
2007316908.tif 000010
【図９】
2007316908.tif 000011
【図１０】
2007316908.tif 000012
【図１１】
2007316908.tif 000013
【図１２】
2007316908.tif 000014
【図１３】
2007316908.tif 000015
【図１４】
2007316908.tif 000016